(57)【要約】  三次元ディスプレイ装置が三次元ビデオシーケンスを受信し、三次元ディスプレイ装置のバックライトユニットの複数個のサブブロックが光を照射する三次元ディスプレイ装置のＬＣＤ（liquid  crystal  display）部の部分領域別に、ＬＣＤ部に表示される三次元ビデオシーケンスの映像明度レベルを決定し、ＬＣＤ部の部分領域別映像明度レベルに基づいて、バックライトユニットのサブブロックの点灯持続時間を決定し、三次元ビデオシーケンスの左視点フレーム及び右視点フレームを含む１つのフレームセットの転換周期に同期化し、バックライトユニットのサブブロックの点灯周期を決定する三次元ディスプレイ装置のバックライトユニット制御方法が開示される。
2013519914.tif 000002
【特許請求の範囲】
【請求項１】
ＬＣＤ部（liquid  crystal  display  unit）、バックライトユニット及び導光板から構成された三次元ディスプレイ装置のバックライトユニットを制御する方法において、
前記三次元ディスプレイ装置に三次元ビデオシーケンスが入力される段階と、
前記三次元ディスプレイ装置のバックライトユニットの複数個のサブブロックが光を照射する前記三次元ディスプレイ装置のＬＣＤ部の部分領域別に、前記ＬＣＤ部に表示される前記三次元ビデオシーケンスの映像明度レベルを決定する段階と、
前記ＬＣＤ部の部分領域別映像明度レベルに基づいて、前記バックライトユニットのサブブロックの点灯持続時間を決定する段階と、
前記三次元ビデオシーケンスの左視点フレーム及び右視点フレームを含む１つのフレームセットの転換周期に同期化し、前記バックライトユニットのサブブロックの点灯周期を決定する段階と、を含むことを特徴とする三次元ディスプレイ装置のバックライトユニット制御方法。
【請求項２】
前記バックライトユニット・サブブロックの点灯持続時間決定段階は、
前記三次元ビデオシーケンスの部分領域別明度レベルが明るいほど、前記点灯持続時間を長く調節し、
前記三次元ビデオシーケンスの部分領域別明度レベルが暗いほど、前記点灯持続時間を短く調節することを特徴とする請求項１に記載の三次元ディスプレイ装置のバックライトユニット制御方法。
【請求項３】
前記三次元ディスプレイ装置のバックライトユニット制御方法は、
前記バックライトユニットのサブブロックを、前記三次元ビデオシーケンスのフレーム周期に同期化してそれぞれ制御しつつ、前記バックライトユニットのサブブロックの点灯周期と、前記サブブロックごとに調節された点灯持続時間とによって、前記バックライトユニットのサブブロックごとに、点灯及び消灯を反復する段階をさらに含むことを特徴とする請求項１に記載の三次元ディスプレイ装置のバックライトユニット制御方法。
【請求項４】
前記バックライトユニット・サブブロックの点灯周期決定段階は、
前記三次元ビデオシーケンスの左視点フレーム及び右視点フレームを含む１つのフレームセットが相互転換される前にディスプレイされるフレーム個数ほど、前記バックライトユニットのサブブロックの点灯周期が決定され、前記三次元ビデオシーケンスのフレーム周期より、前記バックライトユニットのサブブロックの点灯周期を遅く決定することを特徴とする請求項１に記載の三次元ディスプレイ装置のバックライトユニット制御方法。
【請求項５】
前記三次元ビデオシーケンスの映像明度レベル決定段階は、前記バックライトユニットのサブブロックは、前記バックライトユニットのサブブロックのうち連続的に羅列された所定個数のサブブロックを含むサブブロック・グループに分類する段階と、前記バックライトユニットのサブブロック・グループが光を照射する前記ＬＣＤ部の部分領域別に前記映像明度レベルを決定する段階と、を含み、
前記バックライトユニットのサブブロックの点灯持続時間決定段階は、前記バックライトユニットのサブブロック・グループが光を照射する前記ＬＣＤ部の部分領域別に、映像明度レベルに基づいて、前記バックライトユニットのサブブロック・グループ点灯持続時間を決定することを特徴とする請求項１に記載の三次元ディスプレイ装置のバックライトユニット制御方法。
【請求項６】
入力されたビデオシーケンスの映像を表示し、複数の部分領域を含むＬＣＤ部と、
複数個のサブブロックに分割され、それぞれのサブブロックごとに独立して前記ＬＣＤ部に向かって光を照射するバックライトユニットと、
前記バックライトユニットから照射された光を伝達するための導光板と、含み、
前記バックライトユニットは、前記バックライトユニットの光源を制御する制御部を含み、
前記バックライトユニットの前記制御部は、前記バックライトユニットの複数個のサブブロックが光を照射する前記ＬＣＤ部の部分領域別に、前記ＬＣＤ部に表示される三次元ビデオシーケンスの映像明度レベルを決定するサブブロック点灯持続時間決定部を含み、
前記サブブロック点灯持続時間決定部は、前記ＬＣＤ部の部分領域別映像明度レベルに基づいて、前記バックライトユニットのサブブロックの点灯持続時間を決定し、
前記サブブロック点灯持続時間決定部は、前記三次元ビデオシーケンスの左視点フレーム及び右視点フレームを含む１つのフレームセットの転換周期に同期化し、前記バックライトユニットのサブブロックの点灯周期を決定するサブブロック点灯周期決定部を含むことを特徴とする三次元ディスプレイ装置。
【請求項７】
前記サブブロック点灯持続時間決定部は、
前記三次元ビデオシーケンスの部分領域別明度レベルが明るいほど、前記点灯持続時間を長く調節し、
前記三次元ビデオシーケンスの部分領域別明度レベルが暗いほど、前記点灯持続時間を短く調節することを特徴とする請求項６に記載の三次元ディスプレイ装置。
【請求項８】
前記バックライトユニットの前記制御部は、
前記三次元ビデオシーケンスのフレーム周期に同期化し、前記バックライトユニットのサブブロックの点灯周期と、前記サブブロックごとに調節された点灯持続時間とによって、前記バックライトユニットのサブブロックごとに、点灯及び消灯を反復することを特徴とする請求項６に記載の三次元ディスプレイ装置。
【請求項９】
前記サブブロック点灯周期決定部は、
前記三次元ビデオシーケンスの左視点フレーム及び右視点フレームを含む１つのフレームセットが相互転換される前にディスプレイされるフレーム個数によって、前記バックライトユニットのサブブロックを決定し、前記三次元ビデオシーケンスのフレーム周期より前記バックライトユニットのサブブロックの点灯周期を遅く決定することを特徴とする請求項６に記載の三次元ディスプレイ装置。
【請求項１０】
前記サブブロック点灯持続時間決定部は、
前記バックライトユニットのサブブロックは、前記バックライトユニットのサブブロックのうち連続的に羅列された所定個数のサブブロックを含むサブブロック・グループに分類し、
前記サブブロック点灯持続時間決定部は、前記バックライトユニットのサブブロック・グループが光を照射する前記ＬＣＤ部の部分領域別に前記映像明度レベルを決定し、
前記サブブロック点灯持続時間決定部は、前記バックライトユニットのサブブロック・グループが光を照射する前記ＬＣＤ部の部分領域別に映像明度レベルに基づいて、前記バックライトユニットのサブブロック・グループ点灯持続時間を決定することを特徴とする請求項６に記載の三次元ディスプレイ装置。
【請求項１１】
前記バックライトユニットの前記制御部は、
前記バックライトユニットが２サイドエッジ構造であるとき、第１サイドのバックライトユニット及び第２サイドのバックライトユニットを独立して制御することを特徴とする請求項６に記載の三次元ディスプレイ装置。
【請求項１２】
前記バックライトユニットの前記制御部は、
前記バックライトユニットのサブブロックを独立して制御することを特徴とする請求項６に記載の三次元ディスプレイ装置。
【請求項１３】
前記導光板は、前記バックライトユニットのそれぞれのサブブロックの位置ごとに、前記それぞれのサブブロックが光を照射する方向に沿って分割され、複数個に分割されていることを特徴とする請求項６に記載の三次元ディスプレイ装置。
【請求項１４】
前記導光板は、前記バックライトユニットのサイドエッジ構造によって分割されていることを特徴とする請求項６に記載の三次元ディスプレイ装置。
【請求項１５】
請求項１に記載の三次元ディスプレイ装置のバックライトユニット制御方法を具現するためのプログラムが記録されたコンピュータで読み取り可能な記録媒体。
【発明の詳細な説明】
【技術分野】
【０００１】
本発明は、三次元（３Ｄ）ディスプレイ装置の構造及び駆動方法に関する。
【背景技術】
【０００２】
三次元ディスプレイ装置が商用化されることによって広く普及しつつ、三次元ディスプレイ装置への消費者の関心が高まっている。ディスプレイ装置は、三次元ディスプレイを具現するために、光源のターンオン・タイム（turn-on  time）を一定に維持する。また、暗い映像及び明るい映像でも、バックライトユニットの光源は、常に同じ明度（brightness）レベルで点灯される。かような三次元ディスプレイ装置では、液晶の応答速度によって、三次元ディスプレイモードで、ゴースティング（ghosting）現象が生じ、ユーザに不自然に映る。従って、三次元ディスプレイ装置を利用して、三次元コンテンツを気安く視聴しようとする視聴者の要求も大きくなっている。
【発明の概要】
【発明が解決しようとする課題】
【０００３】
本発明は、ＬＣＤ部(liquid  crystal  display  unit)、バックライトユニット(backlight  unit)及び導光板(light  guide  plate)から構成された三次元ディスプレイ装置のバックライトユニットを制御する方法を提供するものである。
【課題を解決するための手段】
【０００４】
本発明の一実施形態による三次元ディスプレイ装置のバックライトユニットを制御する方法は、ＬＣＤ部、バックライトユニット及び導光板から構成された三次元ディスプレイ装置に、三次元ビデオシーケンスを受信する段階と、前記三次元ディスプレイ装置のバックライトユニットの複数個のサブブロックが光を照射する前記三次元ディスプレイ装置のＬＣＤ部の部分領域別に、前記ＬＣＤ部に表示される前記三次元ビデオシーケンスの映像明度レベルを決定する段階と、前記ＬＣＤ部の部分領域別映像明度レベルに基づいて、前記バックライトユニットのサブブロックの点灯持続時間を決定する段階と、前記三次元ビデオシーケンスの左視点フレーム及び右視点フレームを含む１つのフレームセットの転換周期に同期化し、前記バックライトユニットのサブブロックの点灯周期を決定する段階と、を含む。
【０００５】
一実施形態による前記バックライトユニット・サブブロックの点灯持続時間決定段階は、前記三次元ビデオシーケンスの部分領域別明度レベルが明るいほど、前記点灯持続時間を長く調節し、前記三次元ビデオシーケンスの部分領域別明度レベルが暗いほど、前記点灯持続時間を短く調節することができる。
【０００６】
一実施形態による前記三次元ディスプレイ装置のバックライトユニット制御方法は、前記三次元ビデオシーケンスのフレーム周期に同期化し、前記バックライトユニットのサブブロックの点灯周期と、前記サブブロックごとに調節された点灯持続時間とによって、前記バックライトユニットのサブブロックごとに点灯及び消灯を反復する段階をさらに含んでもよい。
【０００７】
本発明の一実施形態による三次元ディスプレイ装置は、入力されたビデオシーケンスの映像が表示されるＬＣＤ部と、複数個のサブブロックに分割され、それぞれのサブブロックごとに独立して前記ＬＣＤ部を光を照射するバックライトユニットと、前記バックライトユニットから照射された光を伝達するための導光板と、前記バックライトユニットの光源を制御する制御部と、を含み、前記バックライトユニットの前記制御部は、前記バックライトユニットの複数個のサブブロックが光を照射する前記ＬＣＤ部の部分領域別に、前記ＬＣＤ部に表示される三次元ビデオシーケンスの映像明度レベルを決定し、前記ＬＣＤ部の部分領域別映像明度レベルに基づいて、前記バックライトユニットのサブブロックの点灯持続時間を決定するサブブロック点灯持続時間決定部と、前記三次元ビデオシーケンスの左視点フレーム及び右視点フレームを含む１つのフレームセットの転換周期に同期化し、前記バックライトユニットのサブブロックの点灯周期を決定するサブブロック点灯周期決定部と、を含む。
【０００８】
本発明は、一実施形態による三次元ディスプレイ装置のバックライトユニット制御方法を具現するためのプログラムが記録されたコンピュータで読み取り可能な記録媒体を含む。
【発明の効果】
【０００９】
本発明による三次元ディスプレイ装置が表示するための三次元ビデオシーケンスの領域別映像明度レベルに基づいて、バックライトユニットのサブブロックのうち、明るい映像領域に向かう光を照射するためのサブブロックの点灯持続時間が相対的に長く照射される。また、暗い映像領域に向かう光を照射するためのサブブロックの点灯持続時間が相対的に短く照射される。これにより、三次元ビデオディスプレイ時に生じうるゴースティング現象が最小化される。
【図面の簡単な説明】
【００１０】
【図１】本発明の一実施形態による三次元ディスプレイ装置のブロック図である。
【図２】一実施形態によって、２サイドエッジ構造のバックライトユニットを具備した三次元ディスプレイ装置を図示する図面である。
【図３】一実施形態によって、２サイドエッジ構造のバックライトユニット及びバックライトユニットの照射方向に沿って分割された導光板を具備した三次元ディスプレイ装置を図示する図面である。
【図４】一実施形態によって、２サイドエッジ構造のバックライトユニット、バックライトユニットの照射方向及びサイドエッジ構造によって分割された導光板を具備した三次元ディスプレイ装置を図示する図面である。
【図５】三次元ビデオシーケンスの映像明度レベルが暗いとき、一実施形態によって調節されたバックライトユニットの点灯持続時間のタイミング図である。
【図６】三次元ビデオシーケンスの映像明度レベルが明るいとき、一実施形態によって調節されたバックライトユニットの点灯持続時間のタイミング図である。
【図７】一実施形態による、バックライトユニットのサブブロック別に調節された点灯持続時間のタイミング図である。
【図８】本発明の一実施形態による三次元ディスプレイ装置のバックライトユニット制御方法のフローチャートである。
【発明を実施するための形態】
【００１１】
以下、添付された図面を参照しつつ、本発明の望ましい実施形態について詳細に説明する。
【００１２】
図１は、本発明の一実施形態による三次元（３Ｄ）ディスプレイ装置のブロック図を図示している。
【００１３】
一実施形態による三次元ディスプレイ装置１００は、ＬＣＤ（liquid  crystal  display）部１１０、バックライトユニット１２０、導光板１３０及びバックライトユニット制御部１４０を含む。
【００１４】
ＬＣＤ部１１０は、三次元ディスプレイ装置１００に入力されたビデオシーケンスの映像信号を視覚的に表示する。バックライトユニット１２０は、一つ以上の光源を具備し、光源がＬＣＤ部１１０に向かって光を照射し、ＬＣＤパネル上の映像を視聴者に良好にディスプレイさせる。導光板１３０は、バックライトユニット１２０から照射された光を、ＬＣＤ部１１０に効率的に伝達する構造物である。
【００１５】
一実施形態によるバックライトユニット１２０は、それぞれの光源を具備した複数個のサブブロックに分割され、それぞれのサブブロックごとに独立して、光源が点灯及び消灯するように制御されつつ、ＬＣＤ部１１０に向かって光を照射することができる。
【００１６】
一実施形態によるバックライトユニット１２０は、ＬＣＤ部１１０の１面に光源が位置して光を照射する１サイドエッジ構造、またはＬＣＤ部１１０の２面に光源が位置して光を照射する２サイドエッジ構造であってもよい。ＬＣＤ部１１０の１面は、ＬＣＤ部１１０の上端及び下端のうち一つであるか、あるいは左側端及び右側端のうち一つでもある。ＬＣＤ部１１０の２面は、ＬＣＤ部１１０の上端及び下端であるか、あるいは左側端及び右側端でもある。
【００１７】
一実施形態による導光板１３０は、１つのプレートから構成され、バックライトユニット１２０の複数個のサブブロックが照射する光をＬＣＤ部１２０に伝達することができる。
【００１８】
また、導光板１３０がバックライトユニット１２０のそれぞれのサブブロックが照射する光を独立して伝達できるように、バックライトユニット１２０のそれぞれのサブブロックの位置ごとに、光を照射する方向に平行に、導光板がサブプレートに分割されていてもよい。例えば、導光板１３０のサブブロックが、上下方向に光を照射しているならば、導光板１３０が、光が通過する上下方向に沿って複数個のサブプレートに分割されていてもよい。
【００１９】
また、導光板１３０は、バックライトユニット１２０のサイドエッジ構造によって、サブプレートに分割されもする。例えば、バックライトユニット１２０が２サイドエッジ構造であるならば、バックライトユニット１２０の上下端（左右側端）サブブロックが光を照射する領域に分離されるように、導光板１３０が上下端（左右側端）のサブプレートに分割されてもよい。
【００２０】
また、バックライトユニット１２０のそれぞれのサブブロックが照射する光が、それぞれ導光板１３０が分割されたサブプレートを介して、ＬＣＤ部１１０に伝えられるように、バックライトユニット１２０のそれぞれのサブブロックの位置及び２サイドエッジ構造に基づいて、導光板１３０のサブプレートが分割されてもよい。例えば、導光板１３０が、バックライトユニット１２０のそれぞれのサブブロックの位置ごとに、光を照射する方向と平行なサブプレートに分割されつつ、バックライトユニット１２０の上下端で光を照射するサイドエッジ構造に基づいて、上下端のサブプレートに分割されてもよい。
【００２１】
バックライトユニット制御部１４０は、バックライトユニット１２０の光源の点灯持続時間及び点灯周期を制御する。一実施形態によるバックライトユニット制御部１４０は、一実施形態によるバックライトユニット１２０のサブブロックをそれぞれ制御するために、サブブロック点灯持続時間決定部１５０及びサブブロック点灯周期決定部１６０を含む。
【００２２】
一実施形態によるバックライトユニット制御部１４０は、ＬＣＤ部１１０に表示される映像明度レベルに基づいて、バックライトユニット１４０の点灯持続時間を決定する。本発明の点灯持続時間は、ＬＣＤディスプレイ装置の光源のターンオン・タイム（turn-on  time）、バックライトユニット・デューティ比（ＢＬＵ：back  light  unit  duty  ratio）などで表現される。一実施形態によるバックライトユニット制御部１４０は、ＬＣＤ部１１０に表示される映像明度レベルが暗いほど、当該サブブロックの点灯持続時間が短く、映像明度レベルが明るいほど、当該サブブロックの点灯持続時間が長いように調節することができる。
【００２３】
サブブロック点灯持続時間決定部１５０は、バックライトユニット１２０の複数個のサブブロックが光を照射するＬＣＤ部１１０の部分領域別に、ＬＣＤ部１１０に表示される三次元ビデオシーケンスの映像明度レベルを決定することができる。一実施形態によるサブブロック点灯持続時間決定部１５０は、ビデオシーケンスを直接入力され、ＬＣＤ部１１０に表示される映像明度レベルを直接測定することができる。他の実施形態によるサブブロック点灯持続時間決定部１５０は、外部からＬＣＤ部１１０に表示される映像明度レベルデータを獲得することができる。
【００２４】
サブブロック点灯持続時間決定部１５０は、ＬＣＤ部１１０の部分領域別に表示される映像明度レベルに基づいて、バックライトユニット１２０のサブブロックの点灯持続時間を決定することができる。サブブロック点灯持続時間決定部１５０は、バックライトユニット１２０のそれぞれのサブブロックごとに光を照射する領域の映像明度レベルに基づいて、それぞれのサブブロックの点灯持続時間を決定することができる。
【００２５】
また、バックライトユニット１２０のサブブロックは、それぞれのサブブロックが、別個に制御されもするが、連続的に羅列された所定個数のサブブロックを含むサブブロック・グループに分類し、グループ別に制御されもする。すなわち、サブブロック点灯持続時間決定部１５０は、バックライトユニット１２０のサブブロックを所定個数のグループに分け、バックライトユニット１２０のサブブロック・グループ別に、サブブロックが光を照射するＬＣＤ部１１０の部分領域の映像明度レベルを決定し、これを基に、当該サブブロック・グループのサブブロックの点灯持続時間を、他のサブブロックと独立して決定することもできる。
【００２６】
サブブロック点灯周期決定部１６０は、三次元ビデオシーケンスのフレーム周期に同期化し、バックライトユニット１２０が点灯することができるように、バックライトユニット１２０のサブブロックの点灯周期を決定することができる。一実施形態によるサブブロック点灯周期決定部１６０は、三次元ビデオシーケンスのうち、左視点フレーム及び右視点フレームを含む１つのフレームセットの左右視点の転換周期に基づいて、バックライトユニットのサブブロックの点灯周期を決定することができる。
【００２７】
例えば、一実施形態による三次元ディスプレイ装置１００は、三次元ビデオシーケンスのうち、１対の第１左視点フレーム及び第１右視点フレームをディスプレイするための第１フレームセットとして、第１左視点フレーム、第１左視点フレーム、第１右視点フレーム及び第１右視点フレームの順序でディスプレイすることができる。すなわち、第１フレームセットは、第１左視点フレーム及び第１右視点フレームがそれぞれ２回ずつ反復してディスプレイすることができる。
【００２８】
また、一実施形態による三次元ディスプレイ装置１００は、第２フレームセットとして、第１左視点フレーム、ブラックフレーム、第１右視点フレーム及びブラックフレームの順序でディスプレイすることができる。すなわち、第２フレームセットは、第１左視点フレーム及び第１右視点フレームがそれぞれ１回ずつ反復されるが、第１左視点フレーム及び第１右視点フレーム間に、ブラックフレームがディスプレイされる。
【００２９】
従って、一実施形態による三次元ディスプレイ装置１００が、第１フレームセットまたは第２フレームセットで、三次元ビデオシーケンスをディスプレイする場合、三次元ビデオシーケンスのフレーム周期は、２４０Ｈｚであっても、三次元ビデオシーケンスの左視点フレーム及び右視点フレームの転換周期は、２４０／２＝１２０Ｈｚであるから、一実施形態によるバックライトユニット制御部１４０は、左右視点の転換周期に同期化し、点灯周期を決定することができる。
【００３０】
一実施形態によるサブブロック点灯周期決定部１６０は、左視点フレーム及び右視点フレームを含む１つのフレームセットの左右視点が転換される前に、Ｎ個のフレームがディスプレイされるならば、バックライトユニット１２０のサブブロックの点灯周期を、三次元ビデオシーケンスのフレーム周期の１／Ｎに決定することができる。このときＮは、２以上の整数を示す。
【００３１】
従って、三次元ビデオシーケンスは、左視点フレーム及び右視点フレームが交互になるという点、一実施形態による左視点フレーム及び右視点フレームを含む１つのフレームセットは、左右視点が転換される前に、一つ以上のフレームがディスプレイされるという点を考慮し、バックライトユニット１２０のサブブロックの点灯周期は、三次元ビデオシーケンスのフレーム周期よりＮ倍ほど遅く決定される。
【００３２】
これにより、バックライトユニット制御部１４０は、三次元ビデオシーケンスのフレーム周期及び左右視点転換周期に同期化して決定された、バックライトユニット１２０のサブブロックの点灯周期と、それぞれのサブブロックごとに調節された点灯持続時間とによって、バックライトユニット１２０のサブブロックごとに、点灯及び消灯を反復することができる。
【００３３】
バックライトユニット制御部１４０は、バックライトユニット１２０のそれぞれのサブブロックごとに独立して点灯持続時間を制御することができる。従って、バックライトユニット１２０のサブブロックの点灯持続時間が互いに同一であっても異なってもよい。また、一実施形態によるバックライトユニット制御部１４０は、バックライトユニット１２０が２サイドエッジ構造であるとき、バックライトユニット１２０の第１サイドのサブブロック及び第２サイドのサブブロックを独立して制御することができる。従って、バックライトユニット１２０の第１サイドのサブブロック及び第２サイドのサブブロックの点灯持続時間が、互いに同一であっても異なってもよい。
【００３４】
従って、一実施形態による三次元ディスプレイ装置１００が表示するための三次元ビデオシーケンスの領域別映像明度レベルに基づいて、バックライトユニット１２０のサブブロックのうち、明るい映像領域に向けて光を照射するためのサブブロックの点灯持続時間が相対的に長く調節され、暗い映像領域に向けて光を照射するためのサブブロックの点灯持続時間が相対的に短く調節されてもよい。これにより、三次元ビデオディスプレイ時に発生しうるゴースティング（ghosting）現象が最小化される。
【００３５】
以下、図２ないし４を参照し、三次元ディスプレイ装置１００のバックライトユニット１２０及び導光板１３０の具体的な実施形態を具備した三次元ディスプレイ装置２００，３００，４００を開示する。従って、三次元ディスプレイ装置２００，３００，４００のそれぞれのバックライトユニットは、三次元ディスプレイ装置１００のバックライトユニット制御部１４０により制御される。
【００３６】
図２は、一実施形態によって、２サイドエッジ構造のバックライトユニットを具備した三次元ディスプレイ装置を図示している。
【００３７】
三次元ディスプレイ装置２００は、上端バックライトユニット２１０及び下端バックライトユニット２２０の２サイドエッジ構造のバックライトユニットを具備しており、上端バックライトユニット２１０は、サブブロック２１１，２１２，２１３，…，２１４に分割され、下端バックライトユニット２２０は、サブブロック２２１，２２２，２２３，…，２２４に分割されている。一実施形態による三次元ディスプレイ装置２００の導光板２３０は、上端バックライトユニット２１０及び下端バックライトユニット２２０のサブブロック２１１，２１２，２１３，…，２１４，２２１，２２２，２２３，…，２２４が照射する光を通過させることができる。
【００３８】
一実施形態によるバックライトユニット制御部１４０は、上端バックライトユニット２１０及び下端バックライトユニット２２０のサブブロック２１１，２１２，２１３，…，２１４，２２１，２２２，２２３，…，２２４を所定個数のグループに分類し、サブブロック・グループ別に制御することもできる。例えば、上端バックライトユニット２１０のサブブロック２１１，２１２，２１３，…，２１４が、２個のサブブロック・グループ２１６，２１８に分類され、それぞれのサブブロック・グループ２１６，２１８別に、点灯持続時間が決定できる。同様に、下端バックライトユニット２２０のサブブロック２２１，２２２，２２３，…，２２４が２個のサブブロック・グループ（２２６、２２８）に分類され、それぞれのサブブロック・グループ（２２６、２２８）別に点灯持続時間が決定される。ただし、上端バックライトユニット２１０及び下端バックライトユニット２２０が、同じ個数のサブブロック・グループに分類されて制御される実施形態のみに限定されるものではない。
【００３９】
図２を参照し、２サイドエッジ構造のバックライトユニットを具備した三次元ディスプレイ装置２００を開示しているが、上端バックライトユニット及び下端バックライトユニットのうち一つだけ具備する１サイドエッジ構造のバックライトユニットを具備する場合にも、バックライトユニットのサブブロック別に、またはサブブロック・グループ別に、点灯持続時間が独立して制御されもする。
【００４０】
図３は、一実施形態によって、２サイドエッジ構造のバックライトユニット及びバックライトユニットの照射方向に沿って分割された導光板を具備した三次元ディスプレイ装置を図示している。
【００４１】
三次元ディスプレイ装置３００は、上端バックライトユニット３１０及び下端バックライトユニット３２０の２サイドエッジ構造のバックライトユニットを具備しており、上端バックライトユニット３１０は、サブブロック３１１，３１２，３１３，…，３１４に分割され、下端バックライトユニット３２０は、サブブロック３２１，３２２，３２３，…，３２４に分割されている。
【００４２】
一実施形態による三次元ディスプレイ装置３００の導光板３３０は、上端バックライトユニット３１０及び下端バックライトユニット３２０のサブブロック３１１，３１２，３１３，…，３１４，３２１，３２２，３２３，…，３２４の位置ごとに、バックライトユニットから照射される光の方向と平行した方向に沿って、サブプレート３３１，３３２，３３３，…，３３４に分割されている。従って、上端バックライトユニット３１０のサブブロック３１１，３１２，３１３，…，３１４及び下端バックライトユニット３２０のサブブロック３２１，３２２，３２３，…，３２４のうち、互いに対向するサブブロックから照射された光は、導光板３３０のサブプレート３３１，３３２，３３３，…，３３４を介して、他のサブプレートへの分散を防止しつつ、ＬＣＤ部１１０に伝えられる。
【００４３】
一実施形態によるバックライトユニット制御部１４０は、上端バックライトユニット３１０のサブブロック３１１，３１２，３１３，…，３１４が、２個のサブブロック・グループ３１６，３１８に分類され、それぞれのサブブロック・グループ３１６，３１８別に、点灯持続時間が決定される。同様に、下端バックライトユニット３２０のサブブロック３２１，３２２，３２３，…，３２４が、２個のサブブロック・グループ３２６，３２８に分類され、それぞれのサブブロック・グループ３２６，３２８別に、点灯持続時間が決定される。
【００４４】
図２の三次元ディスプレイ装置２００及び図３の三次元ディスプレイ装置３００は、２サイドエッジ構造のバックライトユニットを開示しているが、上端バックライトユニット及び下端バックライトユニットのうち、一つだけ具備する１サイドエッジ構造のバックライトユニットを具備する場合にも、バックライトユニットのサブブロック別に、またはサブブロック・グループ別に、点灯持続時間が独立して制御されることは、前述の通りである。
【００４５】
図４は、一実施形態によって、２サイドエッジ構造のバックライトユニット及びバックライトユニットの照射方向及びサイドエッジ構造によって分割された導光板を具備した三次元ディスプレイ装置を図示している。
【００４６】
三次元ディスプレイ装置４００は、上端バックライトユニット４１０及び下端バックライトユニット４２０の２サイドエッジ構造のバックライトユニットを具備しており、上端バックライトユニット４１０は、サブブロック４１１，４１２，４１３，…，４１４に分割され、下端バックライトユニット４２０は、サブブロック４２１，４２２，４２３，…，４２４に分割されている。
【００４７】
一実施形態による三次元ディスプレイ装置４００の導光板４３０は、上端バックライトユニット４１０のサブブロック４１１，４１２，４１３，…，４１４、及び下端バックライトユニット４２０のサブブロック４２１，４２２，４２３，…，４２４の位置ごとに、光の方向と平行した方向に沿って分割されつつ上下端に分割されている。すなわち、導光板４３０は、サブプレート４３１，４３２，４３３，…，４３４，４４１，４４２，４４３，…，４４４に分割され、上端バックライトユニット４１０及び下端バックライトユニット４２０の各サブブロック４１１，４１２，４１３，…，４１４，４２１，４２２，４２３，…，４２４から照射される光が、各サブプレート４３１，４３２，４３３，…，４３４，４４１，４４２，４４３，…，４４４を介して、他のサブプレートで分散されることを最大限防止しつつ、目標領域に向けて集中的に通過することができる。
【００４８】
一実施形態によるバックライトユニット制御部１４０が、上端バックライトユニット４１０のサブブロック・グループ４１６，４１８、下端バックライトユニット４２０のサブブロック・グループ４２６，４２８のうち、それぞれのサブブロック・グループ４１６，４１８，４２６，４２８別に、点灯持続時間を決定することができることは、前述の他の実施形態と同一である。図２ないし図４をわたって説明した三次元ディスプレイ装置２００，３００，４００で、サブブロック・グループの個数は、任意に調節され、上端バックライトユニット２１０，３１０，４１０及び下端バックライトユニット２２０，３２０，４２０が、同じ個数のサブブロック・グループに分類されて制御される実施形態のみに限定されるものではなく、上下端バックライトユニットが、互いに異なる個数のサブブロック・グループに分類されて制御されもする。
【００４９】
図５は、三次元ビデオシーケンスの映像明度レベルが暗いとき、一実施形態によって調節されたバックライトユニットの点灯持続時間のタイミング図を図示している。図６は、三次元ビデオシーケンスの映像明度レベルが明るいとき、一実施形態によって調節されたバックライトユニットの点灯持続時間のタイミング図を図示している。
【００５０】
ディスプレイ・スクリーン・ダイヤグラム５１０，６１０の横軸は、時間経過を示し、縦軸は、ＬＣＤ部１１０のディスプレイ・スクリーンの高さを示す。ディスプレイ・スクリーン・ダイヤグラム５１０，６１０は、経時的に、ＬＣＤ部１１０のディスプレイ・スクリーン上に表示されるフレームを図示することができる。ＬＣＤ部１１０のディスプレイ・スクリーンの上端でビデオフレームが表示され始め、下端側に移動して表示されるので、ディスプレイ・スクリーン・ダイヤグラム５１０，６１０は、フレームが経時的に右側に進み、縦軸に沿って下に下がって表示される形態を図示している。
【００５１】
第１  ＳＴＶタイミング図５００及び第２  ＳＴＶタイミング図６００は、バーチカル・スタートパルス信号（ＳＴＶ  signal：vertical  start  pulse  signal）の発生周期を図示している。第１  ＳＴＶタイミング図５００によって、ＳＴＶ信号５０１，５０２，５０３，５０４，５０５，５０６，５０７が発せられるたびに、第１三次元ビデオシーケンスのそれぞれのフレームがＬＣＤ部１１０にディスプレイされる。第２  ＳＴＶタイミング図６００によって、ＳＴＶ信号６０１，６０２，６０３，６０４，６０５，６０６，６０７が発せられるたびに、第２三次元ビデオシーケンスのそれぞれのフレームがディスプレイされる。
【００５２】
一実施形態による三次元ビデオシーケンスのうち、左右視点フレームを含む１つのフレームセットは、左視点フレーム、ブラックフレーム、右視点フレーム、ブラックフレームを含んでもよい。ディスプレイ・スクリーン・ダイヤグラム５１０は、第１  ＳＴＶ信号タイミング図５００によって、第１三次元ビデオシーケンスが図示されるディスプレイ・スクリーンを図示している。ＳＴＶ信号５０１，５０２，５０３，５０４，５０５，５０６，５０７がそれぞれ発せられるたびに、第１三次元ビデオシーケンスの第１左視点フレーム５１１、ブラックフレーム５１２、第１右視点フレーム５１３、ブラックフレーム５１４、第２左視点フレーム５１５、ブラックフレーム５１６、第２右視点フレーム５１７が順序通りディスプレイされる。
【００５３】
同様に、ディスプレイ・スクリーン・ダイヤグラム６１０は、第２  ＳＴＶ信号タイミング図６００によって、第２三次元ビデオシーケンスが図示されるディスプレイ・スクリーンを図示する。ＳＴＶ信号６０１，６０２，６０３，６０４，６０５，６０６，６０７がそれぞれ発せられるたびに、第２三次元ビデオシーケンスの第３左視点フレーム６１１、ブラックフレーム６１２、第３右視点フレーム６１３、ブラックフレーム６１４、第４左視点フレーム６１５、ブラックフレーム６１６、第４右視点フレーム６１７が順序通りディスプレイされる。
【００５４】
第１三次元ビデオシーケンスの第１左視点フレーム５１１、第１右視点フレーム５１３、第２左視点フレーム５１５及び第２右視点フレーム５１７の映像明度レベルは、所定臨界値より暗く、第２ビデオシーケンスの第３左視点フレーム６１１、第３右視点フレーム６１３、第４左視点フレーム６１５及び第４右視点フレーム６１７の映像明度レベルは、所定臨界値より明るい。
【００５５】
一実施形態によるバックライトユニット制御部１４０は、三次元ビデオシーケンスのうち、左視点フレーム及び右視点フレームを含む１つのフレームセットで、左右視点の転換周期に同期化し、バックライトユニット１２０のサブブロックを点灯することができる。従って、一実施形態によるバックライトユニット制御部１４０は、ディスプレイ・スクリーン・ダイヤグラム５１０において、第１左視点フレーム５１１、第１右視点フレーム５１３、第２左視点フレーム５１５及び第２右視点フレーム５１７がディスプレイされるときと、ディスプレイ・スクリーン・ダイヤグラム６１０において、第３左視点フレーム６１１、第３右視点フレーム６１３、第４左視点フレーム６１５及び第４右視点フレーム６１７がディスプレイされるときとで、バックライトユニット１２０のサブブロックを点灯するように制御することができる。
【００５６】
第１点灯タイミング図５２０は、第１三次元ビデオシーケンスがディスプレイされるとき、一実施形態によるバックライトユニット制御部１４０の制御によるバックライトユニット１２０の上端バックライトユニットＢＬＵ  １（back  light  unit  １）の点灯区間を図示している。第２点灯タイミング図５３０は、第１三次元ビデオシーケンスがディスプレイされるとき、一実施形態によるバックライトユニット制御部１４０の制御によるバックライトユニット１２０の下端バックライトユニットＢＬＵ  ２（back  light  unit  ２）の点灯区間を図示している。同様に、第３点灯タイミング図６２０及び第４点灯タイミング図６３０は、第２三次元ビデオシーケンスがディスプレイされるとき、一実施形態によるバックライトユニット制御部１４０の制御によるバックライトユニット１２０の上端バックライトユニットＢＬＵ１及び下端バックライトユニットＢＬＵ２の点灯区間をそれぞれ図示している。
【００５７】
従って、バックライトユニット１２０の上端バックライトユニットの第１点灯タイミング図５２０は、第１三次元ビデオシーケンスのうち、第１左視点フレーム５１１、第１右視点フレーム５１３、第２左視点フレーム５１５及び第２右視点フレーム５１７がディスプレイ画面に表示されるとき、上端バックライトユニットの点灯区間５２１，５２３，５２５，５２７が発生するところを図示している。同様に、バックライトユニット１２０の下端バックライトユニットの第２点灯タイミング図５３０は、第１三次元ビデオシーケンスのうち第１左視点フレーム５１１、第１右視点フレーム５１３、第２左視点フレーム５１５及び第２右視点フレーム５１７がディスプレイ画面に表示されるとき、下端バックライトユニットの点灯区間５３１，５３３，５３５，５３７が発生するところを図示している。
【００５８】
同様に、バックライトユニット１２０の上端バックライトユニット及び下端バックライトユニットの点灯区間を図示する第３点灯タイミング図６２０及び第４点灯タイミング図６３０は、第２三次元ビデオシーケンスのうち、第３左視点フレーム６１１、第３右視点フレーム６１３、第４左視点フレーム６１５及び第４右視点フレーム６１７がディスプレイ画面に表示されるとき、上端バックライトユニットの点灯区間６２１，６２３，６２５，６２７及び下端バックライトユニットの点灯区間６３１，６３３，６３５，６３７が発生するところを図示する。
【００５９】
また、ディスプレイ・スクリーンの上端領域にフレームが表示され始め、下端領域に下がって表示されるので、一実施形態によるバックライトユニット制御部１４０は、１フレームがディスプレイ・スクリーンに表示される間、ディスプレイ・スクリーンの上端領域に向けて光を照射するバックライトユニット１２０の上端バックライトユニットを、下端バックライトユニットより先に点灯していて消灯されるように、バックライトユニット１２０の点灯を制御することができる。
【００６０】
従って、第１点灯タイミング図５２０及び第２点灯タイミング図５３０は、第１三次元ビデオシーケンスのうち、第１左視点フレーム５１１、第１右視点フレーム５１３、第２左視点フレーム５１５及び第２右視点フレーム５１７がディスプレイ画面に表示されるとき、上端バックライトユニットの点灯区間５２１，５２３，５２５，５２７が、下端バックライトユニットの点灯区間５３１，５３３，５３５，５３７より先に始まって終了するところを図示している。同様に、第３点灯タイミング図６２０及び第４点灯タイミング図６３０によれば、第２三次元ビデオシーケンスのうち、第３左視点フレーム６１１、第３右視点フレーム６１３、第４左視点フレーム６１５及び第４右視点フレーム６１７がディスプレイ画面に表示されるとき、上端バックライトユニットの点灯区間６２１，６２３，６２５，６２７が、下端バックライトユニットの点灯区間６３１，６３３，６３５，６３７より先に始まって終了するところが確認される。
【００６１】
また、一実施形態によるサブブロック点灯持続時間決定部１５０は、三次元ビデオシーケンスの左右視点転換周期に同期化して点灯された、バックライトユニット１２０のサブブロックの点灯持続時間を決定することができる。一実施形態によるサブブロック点灯持続時間決定部１５０は、ＬＣＤ部１１０に表示される映像明度レベルに基づいて、バックライトユニット１２０の点灯持続時間を決定することができる。一実施形態によるサブブロック点灯持続時間決定部１５０は、所定臨界値より映像明度レベルが暗い第１三次元ビデオシーケンスに係わる点灯持続時間を、所定点灯持続時間より短く調節し、所定臨界値より映像明度レベルが大きい第２三次元ビデオシーケンスに係わる点灯持続時間を、所定点灯持続時間より長く調節することができる。
【００６２】
従って、第１点灯タイミング図５２０、第２点灯タイミング図５３０、第３点灯タイミング図６２０及び第４点灯タイミング図６３０によれば、第１三次元ビデオシーケンスに向かって光を照射するための上端バックライトユニットの点灯区間５２１，５２３，５２５，５２７及び下端バックライトユニットの点灯区間５３１，５３３，５３５，５３７は、第２三次元ビデオシーケンスに向かって光を照射するための上端バックライトユニットの点灯区間６２１，６２３，６２５，６２７が、下端バックライトユニットの点灯区間６３１，６３３，６３５，６３７より短く制御されている。
【００６３】
また、一実施形態によるサブブロック点灯周期決定部１６０は、第１三次元ビデオシーケンス及び第２三次元ビデオシーケンスのフレーム周期が２４０Ｈｚであるならば、左右視点が転換されるたびに、バックライトユニット１２０が点灯されるように、バックライトユニット１２０の点灯周期を、フレーム周期より２倍遅い１２０Ｈｚに決定することができる。
【００６４】
図７は、一実施形態によって、バックライトユニットのサブブロック別に調節された点灯持続時間のタイミング図を図示している。
【００６５】
ＳＴＶタイミング図７００及びディスプレイ・スクリーン・ダイヤグラム７１０によれば、ＳＴＶ信号７０１，７０２，７０３，７０４，７０５，７０６がそれぞれ発せられるたびに、第３三次元ビデオシーケンスの第５左視点フレーム７１１、ブラックフレーム７１２、第５右視点フレーム７１３、ブラックフレーム７１４、第６左視点フレーム７１５、ブラックフレーム７１６が順序通りディスプレイされる。図７に図示されていないが、ブラックフレーム７１６に続き、第６右視点フレーム及びブラックフレームがディスプレイされる。
【００６６】
第１上端サブブロック点灯タイミング図７２０、第２上端サブブロック点灯タイミング図７３０、第３上端サブブロック点灯タイミング図７４０、第Ｎ上端サブブロック点灯タイミング図７５０は、それぞれ、第３三次元ビデオシーケンスがディスプレイされるとき、一実施形態によるバックライトユニット制御部１４０の制御によるバックライトユニット１２０の上端バックライトユニットの第１サブブロック、第２サブブロック、第３サブブロック及び第Ｎサブブロックの点灯区間を図示している。第１下端サブブロック点灯タイミング図７６０、第２下端サブブロック点灯タイミング図７７０、第３下端サブブロック点灯タイミング図７８０、第Ｎ下端サブブロック点灯タイミング図７９０は、それぞれ、第３三次元ビデオシーケンスがディスプレイされるとき、一実施形態によるバックライトユニット制御部１４０の制御によるバックライトユニット１２０の下端バックライトユニットの第１サブブロック、第２サブブロック、第３サブブロック及び第Ｎサブブロックの点灯区間を図示している。
【００６７】
第１上端サブブロック点灯タイミング図７２０、第２上端サブブロック点灯タイミング図７３０、第３上端サブブロック点灯タイミング図７４０、及び第Ｎ上端サブブロック点灯タイミング図７５０によれば、第３三次元ビデオシーケンスのうち、第５左視点フレーム７１１、第５右視点フレーム７１３及び第６左視点フレーム７１５が、ディスプレイ画面に表示されるとき、上端バックライトユニットの第１サブブロックの点灯区間７２１，７２３，７２５、上端バックライトユニットの第３サブブロックの点灯区間７４１，７４３，７４５及び上端バックライトユニットの第Ｎサブブロックの点灯区間７５１，７５３，７５５が発生する。第２上端サブブロック点灯タイミング図７３０は、上端バックライトユニットの第２サブブロックが点灯されないことを図示している。
【００６８】
同様に、第１下端サブブロック点灯タイミング図７６０、第２下端サブブロック点灯タイミング図７７０、第３下端サブブロック点灯タイミング図７８０、第Ｎ下端サブブロック点灯タイミング図７９０によれば、第３三次元ビデオシーケンスのうち、第５左視点フレーム７１１、第５右視点フレーム７１３及び第６左視点フレーム７１５がディスプレイ画面に表示されるとき、下端バックライトユニットの第１サブブロックの点灯区間７６１，７６３，７６５、下端バックライトユニットの第３サブブロックの点灯区間７８１，７８３，７８５及び下端バックライトユニットの第Ｎサブブロックの点灯区間７９１，７９３，７９５が発生する。第２下端サブブロック点灯タイミング図７７０は、下端バックライトユニットの第２サブブロックが点灯されないことを図示する。
【００６９】
一実施形態によるサブブロック点灯持続時間決定部１５０は、バックライトユニット１２０のそれぞれのサブブロックが光を照射する領域の映像明度レベルに基づいて、当該サブブロックの点灯持続時間を決定することができる。バックライトユニット１２０のバックライトユニットのサブブロックが同じフレームに対して光を照射しても、それぞれのサブブロックは、それぞれフレーム内の他の領域に向けて光を照射することができる。従って、一実施形態によるサブブロック点灯持続時間決定部１５０は、同じフレームに対して光を照射するサブブロックの点灯持続時間もそれぞれ独立して決定することができる。
【００７０】
例えば、上端バックライトユニットのサブブロックが、第５左視点フレーム７１１に対して光を照射していても、上端バックライトユニットの第１サブブロックの点灯区間７２１、第３サブブロックの点灯区間７４１及び第Ｎサブブロックの点灯区間７５１は、各サブブロックが光を照射する映像明度レベルによって、持続時間が互いに独立して決定される。同様に、下端バックライトユニットのサブブロックが、第５右視点フレーム７１３に対して光を照射していても、下端バックライトユニットの第１サブブロックの点灯区間７６３、第３サブブロックの点灯区間７８３及び第Ｎサブブロックの点灯区間７９３は、各サブブロックが光を照射する映像明度レベルによって、持続時間が互いに独立して決定される。
【００７１】
また、互いに対向している上端バックライトユニットのサブブロック及び下端バックライトユニットのサブブロックも、互いに光を照射する領域が異なるので、一実施形態によるサブブロック点灯持続時間決定部１５０は、上端バックライトユニットのサブブロック及び下端バックライトユニットのサブブロックの点灯持続時間を独立して決定できる。
【００７２】
各サブブロックが光を照射するディスプレイ・スクリーン領域の映像明度レベルが明るいほど、点灯持続時間が長くなって、映像明度レベルが暗いほど、点灯持続時間が短くなることは、前述の通りである。特に、映像が非常に暗くて光を照射する必要がないならば、第２上端サブブロック点灯タイミング図７３０のように、第２サブブロックは、点灯されなくともよい。
【００７３】
例えば、第１上端サブブロック点灯タイミング図７２０、第３上端サブブロック点灯タイミング図７４０、第Ｎ上端サブブロック点灯タイミング図７５０によれば、上端バックライトユニットの第１サブブロック、第３サブブロック、第Ｎサブブロックの順に、各サブブロックが光を照射する領域の映像明度レベルが明るくなることにより、上端バックライトユニットの第１サブブロックの点灯区間７２１，７２３，７２５、上端バックライトユニットの第３サブブロックの点灯区間７４１，７４３，７４５、上端バックライトユニットの第Ｎサブブロックの点灯区間７５１，７５３，７５５の順に、点灯持続時間が長くなるように制御される。
【００７４】
同様に、第１下端サブブロック点灯タイミング図７６０、第３下端サブブロック点灯タイミング図７８０、第Ｎ下端サブブロック点灯タイミング図７９０によれば、下端バックライトユニットの第１サブブロック、第３サブブロック、第Ｎサブブロックの順に、各サブブロックが光を照射する領域の映像明度レベルが暗くなることによって、下端バックライトユニットの第１サブブロックの点灯区間７６１，７６３，７６５、下端バックライトユニットの第３サブブロックの点灯区間７８１，７８３，７８５及び下端バックライトユニットの第Ｎサブブロックの点灯区間７９１，７９３，７９５の順に、点灯持続時間が短くなるように制御される。
【００７５】
図８は、本発明の一実施形態による三次元ディスプレイ装置１００のバックライトユニット制御方法のフローチャートを図示している。
【００７６】
段階８１０で、ＬＣＤ部１１０、バックライトユニット１２０及び導光板１３０から構成された三次元ディスプレイ装置１００に、三次元ビデオシーケンスが入力される。バックライトユニット１２０は、１サイドエッジ構造または２サイドエッジ構造であってもよい。バックライトユニット１２０は、複数個のサブブロックに分割されていてもよい。導光板１３０は、バックライトユニット１２０のサブブロックが照射する光の方向に沿って分割されていてもよい。
【００７７】
段階８２０で、バックライトユニット１２０の複数個のサブブロックが光を照射するＬＣＤ部１１０の部分領域別に、ＬＣＤ部１１０に表示される三次元ビデオシーケンスの映像明度レベルが決定される。段階８３０で、ＬＣＤ部１１０の部分領域別映像明度レベルに基づいて、バックライトユニット１２０のサブブロックの点灯持続時間が決定され、三次元ビデオシーケンスの左視点フレーム及び右視点フレームを含む１つのフレームセットで、左右視点の転換周期に同期化し、バックライトユニットのサブブロックの点灯周期が決定される。
【００７８】
バックライトユニット１２０のサブブロック別に光を照射する領域別映像明度レベルに基づいて、点灯持続時間が決定される。バックライトユニット１２０の複数個のサブブロックが光を照射する映像領域の映像明度レベルが明るいほど、サブブロックの点灯持続時間を延長し、映像明度レベルが暗いほど点灯持続時間を短縮する。
【００７９】
左視点フレーム及び右視点フレームを含むフレームセットにおいて、左右視点が転換される前に、Ｎ個のフレームがディスプレイされるならば、バックライトユニット１２０のサブブロックの点灯周期は、フレーム周期の１／Ｎに決定され、バックライトユニット１２０のサブブロックの点灯周期は、三次元ビデオシーケンスのフレーム周期よりＮ倍ほど遅く決定される。
【００８０】
段階８４０で、三次元ビデオシーケンスのフレーム周期に同期化し、バックライトユニットのサブブロックの点灯周期及びサブブロックごとに調節された点灯持続時間によって、バックライトユニットのサブブロックごとに点灯及び消灯が反復される。
【００８１】
一方、前述の本発明の実施形態は、コンピュータで実行されるプログラムに作成可能であり、コンピュータで読み取り可能な記録媒体を利用し、前記プログラムを動作させる汎用デジタル・コンピュータで具現される。前記コンピュータで読み取り可能な記録媒体は、マグネチック記録媒体（例え、ＲＯＭ（read-only  memory）、フロッピー（登録商標）ディスク、ハードディスク）、光学的判読媒体（例えば、ＣＤ−ＲＯＭ、ＤＶＤなど）のような記録媒体を含む。
【００８２】
以上、本発明についてその望ましい実施形態を中心に説明した。本発明が属する技術分野で当業者であるならば、本発明が本発明の本質的な特性から外れない範囲で変形された形態で具現されるということを理解することができるであろう。従って、開示された実施形態は、限定的な観点でなく、説明的な観点から考慮されねばならない。本発明の範囲は、前述の説明でなく、特許請求の範囲に示されており、それと同等な範囲内にあるあらゆる差異点は、本発明に含まれたものであると解釈されねばならない。
【図１】
2013519914.tif 000003
【図２】
2013519914.tif 000004
【図３】
2013519914.tif 000005
【図４】
2013519914.tif 000006
【図５】
2013519914.tif 000007
【図６】
2013519914.tif 000008
【図７】
2013519914.tif 000009
【図８】
2013519914.tif 000010
【国際調査報告】
2013519914.tif 000011
2013519914.tif 000012